(57)【要約】【課題】本考案は温度調整装置を取っ手に設置するために、壷体のベースに設置しているヒータ装置ーの高温に影響されなく、それで操作し易い電子式温度調整の電気ケトルを提供する。【解決手段】壷体と壷体の裏側にあるベースに位置しているヒータ装置ー、及び壷体の表側壁に設置している取っ手を具備して、それに壷体の中に入れた水温を勧誘する温度センサ、及び一つのコントローラ装置も含む。前記ヒータ装置ー、温度センサはみんなコントローラ装置と接続して、コントローラ装置に統一に制御させて、動作を協調して、且つ当コントローラ装置を当取っ手に設置する。コントローラ装置を取っ手に設けるために、壷体のベースに配置しているヒータ装置ーの高温に影響されず、又、操作し易いようにした電子式温度調整の電気ケトル。【選択図】図１
0003136182.tif 000002
【実用新案登録請求の範囲】
【請求項１】
壷体と、壷体の裏側にあるベースに位置するヒータ装置、及び壷体の表側壁に設置する取っ手を具備する電子式温度調整の電気ケトルにおいて、壷体の中に入れた水温を勧誘する温度センサ、及び一つのコントローラ装置を有し、前記ヒータ装置と温度センサを皆コントローラ装置に接続し、コントローラ装置に統一制御させて、動作を協調して、且つ当コントローラ装置を取っ手に設置するようにしたことを特徴とする電子式温度調整の電気ケトル。
【請求項２】
前記コントローラ装置は一つのタッチ式コントロールパネルであるようにしたことを特徴とする請求項１に記載の電子式温度調整の電気ケトル。
【請求項３】
前記コントローラ装置は制御回路基板、コントロールパネルを有し、当制御回路基板にコントロールパネル表面から伸び出している操作ボタンと電子ディスプレイを設置して、当コントロールパネルを取っ手の表面に位置するようにしたことを特徴とする請求項１に記載の電子式温度調整の電気ケトル。
【請求項４】
前記電子ディスプレイは液晶ディスプレイであるようにしたことを特徴とする請求項３に記載の電子式温度調整の電気ケトル。
【請求項５】
前記電子ディスプレイは発光ダイオードであるようにしたことを特徴とする請求項３に記載の電子式温度調整の電気ケトル。
【請求項６】
前記取っ手の表面に凹入部を設け、凹入部に取っ手蓋を設け、前記制御回路基板を当取っ手にある凹入部に設置し、コントロールパネルを取っ手蓋の表面の上端部に近づく所に埋め込んで設置するようにしたことを特徴とする請求項３に記載の電子式温度調整の電気ケトル。
【請求項７】
前記制御回路基板の回路は、メインコントロールチップ、電源回路、ハイパワトライブ回路、キー回路及び表示回路を含めて、前記電源回路は外部電源に接続して、二つの直流出力端になってそれぞれメインコントロールチップとハイパワトライブ回路に供給して、ハイパワトライブ回路はメインコントロールチップとヒータ装置にあるヒータとの間に接続して、ヒータの電源をオフ又はオンにすることを制御し、ヒータに直接外部電源から電源を供給して、表示回路は一つのトライブ回路とメインコントロールチップを接続することによってメインコントロールチップの指令に基づいて電子ディスプレイの表示を制御して、キー回路は操作キーとメインコントロールチップとの間に接続し、操作パタンのキー操作信号を処理してメインコントロールチップに供給して、温度センサはメインコントロールチップに接続し、壷体の中にある水の温度信号をメインコントロールチップに供給するようにしたことを特徴とする請求項３に記載の電子式温度調整の電気ケトル。
【請求項８】
前記制御回路基板の回路は音声制御回路も有し、当音声制御回路をメインコントロールチップと接続して、且つ音声制御回路で一つのブザを接続するようにしたことを特徴とする請求項７に記載の電子式温度調整の電気ケトル。
【請求項９】
前記温度センサの感温部は壷体の内部にある水入れ空間に伸び入れるようにしたことを特徴とする請求項１に記載の電子式温度調整の電気ケトル。
【考案の詳細な説明】
【技術分野】
【０００１】
本考案は電気ケトルに関し、具体的には、一種の電子式温度調整の電気ケトルに関連する
【背景技術】
【０００２】
伝統的な電気ケトルは、ケトル中の湯を沸かしてから、手動で電源を切る。このような電気ケトルは、人がその傍に立たないと、危ないのである。改良な電気ケトルは、湯を沸かしてから、自動的に電源を切る機能を持って、前記伝統的な電気ケトルの不安全問題を取り除く。しかし、人々は生活品質に対する要求を段々上げると共に、電気ケトルに対して違う温度の湯が沸かされるのを要求する。例えば、湯で酒やジュースや牛乳などを燗する場合、沸上る水が必要ないために、水の温度を適度に制御する必要がある。そのため、人々は温度が調節できる電気ケトルを設計した。
【０００３】
中国特許第９３１０２６２３．７号で公開した「温度調節できる自動的に温度を制御する電気ケトル」には、その主な構造はケトル、電熱管、電気コンセント、保護カバー、アースピン端子及びサーマルスイッチを具備し、サーマルスイッチに温度調節つまみを設置し、当温度調節つまみはサーマルスイッチに対応し、機械方式で温度調節の役目を果たす。機械方式で温度を調節する電気ケトルにつく構造はまた多くあるが、普通、故障をしやすいし、精確に温度が調節できないなどの短所がある。
【０００４】
それから、市場で電子式温度調整の電気ケトルが出てくる。其の主な原理はサーマルセンサでケトルの中の水温を検出し、マイクロコンピュータでヒータ装置の電源開閉を制御し、水温を制御する役目と水温を調節する役目を果たす。通常、そのコントロールパネルに電子ディスプレイと調節つまみを設置し、当コントロールパネル及び制御回路は常に壷体にある底部の外側に設置し、ヒータ装置に近づき過ぎて、湯を沸かす時、当位置の温度が非常に高く、約１００℃あって、コントロールパネルユニット及び制御回路基板の耐熱性は常に約７０℃くらいなので、コントロールパネルユニット及び制御回路基板は非常な高温のせいで損害し易い。
【考案の開示】
【考案が解決しようとする課題】
【０００５】
本考案は電子式温度調整の電気ケトルにある制御パネルユニットや制御回路基板などの位置を設計する不都合、それにヒータ装置に近づき過ぎるため、高温で壊し易い短所を打克つ目的とする電子式温度調整の電気ケトルを提供する。
【課題を解決するための手段】
【０００６】
本考案は課題を解決するために以下の技術方案を採用する。本考案の電子式温度調整の電気ケトルには、壷体と、壷体の裏側にあるベースに位置するヒータ装置、及び壷体の表側壁に設置する取っ手を具備し、また、壷体の中に入れた水温を感知する温度センサ、及び一つのコントローラ装置を有し、前記ヒータ装置と温度センサを皆コントローラ装置に接続し、コントローラ装置に統一制御させて、動作を協調して、且つ当コントローラ装置を取っ手に設置する。コントローラ装置によって、使用者は必要な温度が調節でき、温度センサによって水温が検出でき、温度センサの信号に基づいてヒータ装置の電源開閉を制御し、それに壷体中の水温を必要な温度まで加熱させて且つ保持させる。コントローラ装置を取っ手に設置するから、壷体のベースにちょっと遠く離れ、高温のせいで損壊することができなくて、ユーザーにとってコントローラ装置の操作がし易く、便利である。
【０００７】
前記電子式温度調整の電気ケトルには、前記コントローラ装置は一つのタッチ式コントロールパネルである。
【０００８】
前記電子式温度調整の電気ケトルには、前記コントローラ装置は以下の構造もできて、制御回路基板、コントロールパネルを有し、当制御回路基板にコントロールパネル表面から伸び出している操作ボタンと電子ディスプレイを設置して、当コントロールパネルを取っ手の表面に位置する。
【０００９】
さらに、前記電子ディスプレイは液晶ディスプレイ或いは発光ダイオードである。
【００１０】
そのうえ、前記取っ手の表面に凹入部を設け、凹入部に取っ手蓋を設け、前記制御回路基板を当取っ手にある凹入部に設置し、コントロールパネルを取っ手蓋の表面の上端部に近づく所に埋め込んで設置する。制御回路基板とコントロールパネルの位置は皆ヒータ装置から遠い間隔なので、熱がかかりすぎて壊れることがない。
【００１１】
前記制御回路基板の回路は、メインコントロールチップ、電源回路、ハイパワトライブ回路、キー回路及び表示回路を含めて、前記電源回路は外部電源に接続して、二つの直流出力端になってそれぞれメインコントロールチップとハイパワトライブ回路に供給して、ハイパワトライブ回路はメインコントロールチップとヒータ装置にあるヒータとの間に接続して、ヒータの電源をオフ又はオンにすることを制御し、ヒータに直接外部電源から交流電源を供給して、表示回路は一つのトライブ回路とメインコントロールチップを接続することによって、メインコントロールチップの指令に基づいて電子ディスプレイの表示を制御して、キー回路は操作ボタンとメインコントロールチップとの間に接続し、操作ボタンのキー操作信号を処理してメインコントロールチップに供給して、温度センサはメインコントロールチップに接続し、壷体の中にある水の温度信号をメインコントロールチップに供給する。
【００１２】
また、前記制御回路基板の回路は音声制御回路も有し、当音声制御回路をメインコントロールチップと接続して、且つ音声制御回路で一つのブザを接続する。
【００１３】
電子式温度調整の電気ケトルには、その温度センサの感温部は壷体の内部にある水入れ空間に伸び入れる。
【考案の効果】
【００１４】
本考案は、電子式温度調整の電気ケトルにあるコントロールパネルユニットや制御回路基板などの位置を設計する不都合、それにヒータ装置に近づき過ぎるため、高温のせいで壊し易い短所を打克つ目的とする電子式温度調整の電気ケトルを提供する。
【考案を実施するための最良の形態】
【００１５】
図１から図３までを見ながら、本考案の具体的な実施例を説明する。
【００１６】
図１を見て、本考案の電子式温度調整の電気ケトルには、壷体１、壷体１の上方に設置する壷蓋３、壷体１の裏側にある底部に配置するベース１１、当ベース１１に位置するヒータ装置、当ヒータ装置にある一つのヒータ７、当ヒータ７のヘッド部と壷体１からなる一つの水入れ空間を具備する。当ヒータ装置の関係構造は現有の技術であり、ここで詳しく説明せず、図示もしない。壷体１の表側壁に一つの取っ手２を設置し、当取っ手２の表面に一つの取っ手蓋２１を配置する。
【００１７】
図２を見て、当電気ケトルは温度センサ５、制御回路基板４、コントロールパネル６を有し、当温度センサ５の感温部は壷体１の側壁にある穴１０を貫通して壷体１の裏側の水入れ空間に延び、当制御回路基板４にコントロールパネル６から現れ出す操作ボタン４２と電子ディスプレイ４１を設置し、当電子ディスプレイ４１は液晶ディスプレイ「LCD」或いは発光ダイオード「LED」からなり、且つ、前記ヒータ装置、温度センサ５、コントロールパネル６は皆制御回路基板４と接続し、制御回路基板４に統一制御させて、動作を協調する。操作ボタン４２と電子ディスプレイ４１によって、使用者は需要な温度が調節でき、温度センサ５によって水温を検知し、制御回路基板４は温度センサ５の信号に基づいてヒータ装置の電源開閉を制御し、それに壷体１中の水温を必要な温度まで加熱させて且つ保持させる。しかし、これに限定されるのではなく、この制御回路基板４とコントロールパネル６の代わりに一つのタッチ式パネルで容易に執行機能もでき、即ち、制御回路基板４とコントロールパネル６の機能を持ったコントローラ装置は皆使用でき、これは本領域のエンジニアが容易に考えることができる。
【００１８】
図２を見て、前記取っ手２の表面に凹入部２０を設け、前記取っ手蓋２１を凹入部２０に設け、前記制御回路基板４を当取っ手２にある凹入部２０に設置し、コントロールパネル６を取っ手蓋２１の表面の上端部に近づく所に埋め込んで設置する。もちろん、当コントロールパネル６も取っ手蓋２１に一体成型できる。制御回路基板４とコントロールパネル６の位置は皆ヒータ装置に遠く間隔しているから、熱にかかるために壊すことができなく、また、コントロールパネル６は取っ手蓋２１表面の上部に位置して、使用者にとって操作し易い。
【００１９】
図３を参考して、制御回路基板４の回路は、メインコントロールチップ４０１、電源回路４０２、ハイパワトライブ回路４０３、キー回路４０６及び表示回路４０５を含めて、前記電源回路４０２は外部電源に接続して、二つの直流出力端になってそれぞれメインコントロールチップ４０１とハイパワトライブ回路４０３に供給して、ハイパワトライブ回路４０３はメインコントロールチップ４０１とヒータ装置にあるヒータ７との間に接続して、ヒータ７の電源をオフ又はオンにすることを制御し、ヒータに直接外部電源から交流電源を供給して、表示回路４０５は一つのトライブ回路４０４とメインコントロールチップ４０１を接続することによって、メインコントロールチップ４０１の指令に基づいて電子ディスプレイ４１の表示を制御して、キー回路４０６は操作キー４２とメインコントロールチップ４０１との間に接続し、操作キー４２の操作信号を処理してメインコントロールチップ４０１に供給して、温度センサ５はメインコントロールチップ４０１に接続し、壷体１の中にある水の温度信号をメインコントロールチップ４０１に供給して、メインコントロールチップ４０１は前記各部分を制御することによって動作を協調する。
【００２０】
その他、前記回路のなかには、また、音声制御回路４０７も有し、当音声制御回路４０７をメインコントロールチップ４０１と接続して、且つ音声制御回路４０７で一つのブザを接続する。壷体１の中に入っている水の水温をプリセット値に到ると、メインコントロールチップ４０１の指令に基づいてブザを駆動して警報音が出る。
【００２１】
以上で本考案の構造を述べできたが、現有の技術と比べて、本考案は以下の特長がある。一は、コントローラ装置を取っ手に設置し、壷体のベースにあるヒータ装置の高温に影響されにくく、そのうえ、操作しやすく、便利である。二は、電子式自動温度調節を採用するので、機械方面の故障が出なくて、使用寿命がもっと長くなる。三は、温度センサは壷体に入れる水の温度を実時間検知することによって、精確に水温を制御することができる。
【００２２】
以上で述べたのはただ本考案の一つ実施の形態である。しかし、本考案のデザインアイディアはこれに限定されるものではなく、すなわち、本考案のアイディアに基づいて変形させることが可能であり、それらは本考案の範囲から排除するものではない。
【図面の簡単な説明】
【００２３】
【図１】本考案の立体構造を表す図。
【図２】本考案の立体分解を表す図。
【図３】本考案の電気回路の原理を表すブロック図。
【符号の説明】
【００２４】
１  壷体
２  取っ手
３  壷蓋
４  制御回路基板
５  温度センサ
６  コントロールパネル
７  ヒータ
２１  取っ手蓋
４０１  メインコントロールチップ
４０２  電源回路
４０３  ハイパワトライブ回路
４０４  トライブ回路
４０５  表示回路
４０６  キー回路
４０７  音声制御回路
【図１】
0003136182.tif 000003
【図２】
0003136182.tif 000004
【図３】
0003136182.tif 000005